(57)【特許請求の範囲】
【請求項１】
マスク面体（２）のアイピース取付孔（１１）の内周に形成したアイピース取付溝（７）に、アイピース（３）の周縁部を嵌合し、マスク面体（２）の表面側に起立したアイピース取付孔（１１）の周縁部（６）を表面側目枠（４）と裏面側目枠（５）との間に挟むと共に、前記表面側目枠（４）と裏面側目枠（５）とを係合した防護マスクにおいて、
前記アイピース取付溝（７）の内面には、前記アイピース（３）と密着する突条（８）を形成し、
前記表面側目枠（４）と裏面側目枠（５）とは、やや撓みのある熱可塑性プラスチックにより形成し、表面側目枠（４）は、表面片（１４）及びその外周縁から裏面方向に屈曲する外部壁（１５）を有し、裏面側目枠（５）は、裏面片（１６）及びその外周縁から表面方向に起立する内部壁（１７）を有し、前記外部壁（１５）の内面及び内部壁（１７）の外面に、手で押し付けることにより互いに嵌合する凹部（９）及び凸部（１０）をそれぞれ形成し、前記表面側目枠（４）の表面片（１４）と裏面側目枠（５）の裏面片（１６）とで前記アイピース取付孔（１１）の周縁部を挟持したことを特徴とする防護マスク。
【発明の詳細な説明】
【０００１】
【発明の属する技術分野】
本発明は、産業上発生する有毒物質から顔面及び呼吸器を防護する２眼式の防護マスクに関する。
【０００２】
【従来の技術】
全面型の防護マスクには、１個のアイピースを備えた１眼式のものと、２個のアイピースを備えた２眼式のものとがある。２眼式の防護マスクは、中央部分で縦に二つ折りできるため携帯に便利であり、また、目とアイピースとの距離が１眼式のものに比べて狭く、光学機器の使用や火砲の照準に便利である。このため、主として、野外における有毒物質汚染環境下で行動する人の顔面・呼吸器防護用として、重要な役割を果たしている。
【０００３】
従来、２眼式の防護マスクにおいて、アイピースをマスク面体に取り付けるにあたっては、図５及び図６に示すように、マスク面体ａに形成したアイピース取付孔ｂの周縁部内面に周方向に沿って取付溝ｃを形成すると共に、取付溝ｃにアイピースｄの周縁を挿入し、アイピース取付孔ｂの周縁部の外側から金属製の環状目枠ｅを被せ、この環状目枠ｅの外周寄り端部を機械で裏面方向（矢印方向）にかしめてアイピースｄを締め付ける方法、或いは、図７に示すように、アイピース取付孔ｂの周縁部の外側に金属製の上部目枠ｆ及び下部目枠ｇを嵌合し、上部目枠ｆ及び下部目枠ｇの一端を係止すると共に、他端をボルトｈとナットｉとで締結する方法が採用されている。
しかし、前の方法では専用の目枠かしめ機を、後の方法ではボルト・ナットを締め付けるための工具をそれぞれ必要とし、いずれの方法でも手の力のみによってワンタッチで組み付けることができないため、組立作業及び保守点検作業が面倒であった。
【０００４】
【発明が解決しようとする課題】
この発明は、マスク面体にアイピースを取り付けるのに特殊な工具等を必要とせず、保守整備作業及び組立作業が簡単な防護マスクを提供することを課題とする。
【０００５】
【課題を解決するための手段】
本発明の防護マスクは、マスク面体のアイピース取付孔の内周に形成したアイピース取付溝にアイピースの周縁部を嵌合し、前記アイピース取付孔の周縁部を表面側目枠と裏面側目枠との間に挟むと共に、前期表面側目枠と裏面側目枠とを係合してある。
アイピース取付孔にアイピースを嵌め入れ、その周縁部の表裏を表面側目枠及び裏面側目枠で挟み、表面側目枠と裏面側目枠とを手で押し付けて両者を係合する。
【０００６】
なお、アイピースの素材として、やや可撓性を有する透明プラスチックを用いれば、ガラス製のアイピースを有するものに比べて、マスク全体の重量が軽くなり、重量を増大させることなくアイピースの面積を大きくすることが可能で、衝撃破壊に対する強度が増す。
また、アイピースを球面の一部より形成すると、部分毎に曲率の異なる複雑な形状の金型が不要となる。
【０００７】
表面側目枠は、表面片及びその外周縁から裏面方向に屈曲する外部壁を有し、裏面側目枠は、裏面片及びその外周縁から表面方向に起立する内部壁を有し、外部壁の内面及び内部壁の外面に、互いに嵌合する凹部及び凸部をそれぞれ形成し、表面側目枠の表面片と裏面側目枠の裏面片とでアイピース取付孔の周縁部を挟持することができる。
この構成により、凹部と凸部とを嵌合するだけで、表面側目枠と裏面側目枠を簡単に組み付けることが可能となる。
アイピース取付溝の内面にアイピースと密着する突条を形成しても良い。これにより、アイピース取付部分の気密性が向上する。
【０００８】
【発明の実施の形態】
以下、本発明の実施形態を図面に基づいて詳細に説明する。
図４に示すように、本発明の防護マスク１は、着用者の顔面全面を覆う全面タイプで、且つ、柔軟性のあるゴム、プラスチック製のマスク面体２に２個のアイピース３，３を取り付けた２眼式のものである。
マスク面体２の下部には吸気缶を装着可能な面口部２０が設けられると共に、マスク面体２の背後には、バンドを介して着用者が頭部に被るための伸縮ネット２１が装着されている。
【０００９】
また、面口部２０の上方において、マスク面体２の両側には１対のアイピース取付孔１１，１１が穿設され、図３に示すように、これらのアイピース取付孔１１，１１にそれぞれアイピース３，３が嵌め込まれると共に、アイピース取付孔１１，１１の周縁部６及びアイピース３の周縁部が、表面側目枠４と裏面側目枠５とによって挟持されている。
アイピース３は、ポリカーボネート等のやや撓み性を有する透明プラスチックを素材とし、均一な曲率半径の球面の一部を縦長の略卵形に切断して形成される。このアイピース３は、表面に凸に湾曲するようアイピース取付孔１１に嵌め込まれ、防護マスク１の内部に専用眼鏡を着用できるようになっている。
【００１０】
図１及び図２に示すように、アイピース取付孔１１の周縁部６は表面側に起立しており、その内側面先端寄りにアイピース３の周縁部を挿入するためのアイピース取付溝７が形成される。アイピース取付溝７の厚みはアイピース３の厚みよりもやや小さく、その上面にアイピース３に密着する突条８が周方向に沿って一体に形成されている。
また、アイピース取付孔１１の周縁部６の外側面基端寄りには、裏面側目枠５を係合するための嵌合溝１２が形成され、嵌合溝１２の奥部を表面側に屈曲して係止部１３が形成されている。
【００１１】
表面側目枠４及び裏面側目枠５は、重量の増加を抑えると共に、アイピース３の撓みに追随できるように、それぞれやや撓み性のある熱可塑性プラスチックを素材とし、アイピース取付孔１１の周縁部６の全長に亘って配設される。
表面側目枠４は、アイピース取付孔１１の周縁部６の表面を覆う表面片１４と、その外周縁から裏面方向に屈曲する外部壁１５とを備え、外部壁１５の内面には、凹部９が形成されている。
【００１２】
裏面側目枠５は、アイピース取付孔１１の周縁部６の嵌合溝１２に係合される裏面片１６と、裏面片１６の外周縁から表面方向に起立すると共に、表面側目枠４の外部壁１５の内面に重合される内部壁１７とを備える。
また、裏面片１６の内周縁には、アイピース取付孔１１の周縁部６の係止部１３に係合する起立片１８が形成され、内部壁１７の外面には、表面側目枠４の凹部９と着脱自在に嵌合する凸部１０が形成されている。この凸部１０の表面は、表面側目枠４をガイドするために、先端に行くほど薄くなるよう傾斜したテーパ面となっている。
なお、表面側目枠４の凹部９及び裏面側目枠５の凸部１０は、短いものを周方向に沿って適宜間隔毎に多数形成しても良いし、長尺のものを周方向全長に亘って形成しても良い。
【００１３】
アイピース３をマスク面体２に組み込むには、アイピース３をマスク面体２のアイピース取付孔１１に嵌め込んで、アイピース３の周縁部をアイピース取付溝７に挿入する。
そして、裏面側目枠５の裏面片１６をアイピース取付孔１１の周縁部６の嵌合溝１２に挿入し、次いで、表面側目枠４の表面片１４及び外部壁１５をアイピース取付孔１１の周縁部６の表面及び裏面側目枠５の内部壁１７の外面に被せる（図２）。
【００１４】
次に、表面側目枠４と裏面側目枠５とを互いに接近するように掌で押し付けると、表面側目枠４の凹部９と裏面側目枠５の凸部１０とが嵌合し、裏面側目枠５の起立片１８がアイピース取付孔１１の周縁部６の係止部１３に係合する。
この結果、アイピース取付孔１１の周縁部６が、そのアイピース取付溝７にアイピース３の周縁部を挿入した状態で、表面側目枠４の表面片１４と裏面側目枠５の裏面片１６とにより挟持される。
【００１５】
同時に、アイピース取付溝７の内面がアイピース３の周縁部に圧接され、アイピース取付溝７の上面に形成された突条８がアイピース３の周縁部表面に密着して、アイピース取付溝７とアイピース３との間隙が封鎖される（図１）。
また、裏面側目枠５の起立片１８がアイピース取付孔１１の周縁部６の係止部１３に係合しているため、表面側目枠４及び裏面側目枠５がマスク面体２から外れ、アイピース３が脱落することはない。
なお、アイピース３に密着する突条８は、アイピース取付溝７の下面に形成しても良い。
【００１６】
【発明の効果】
本発明によれば、アイピースをアイピース取付孔に嵌め入れ、その周縁部を表面側目枠と裏面側目枠で挟んで手で押し付けるだけで、マスク面体にアイピースを組み入れることができるので、マスクの組立作業及び保守整備作業が容易となる。また、図の実施の形態に示すような楕円形のアイピ−スの固定も可能になる。
なお、アイピースにプラスチックを使用すれば、ガラス製のアイピースを有するものに比べて、マスク全体の重量が軽くなり、アイピースを大きくしても重量の増加が抑えられるため、視野をより広くすることが可能であり、しかも、アイピースが適度に撓んで衝撃を吸収するので破壊し難い。
【００１７】
また、球面の一部よりなるアイピースを使用すれば、部分毎に曲率の異なる複雑な形状の金型が不要なので、金型の加工費が安くて済み、コストを抑えることができる。
さらに、表面側目枠及び裏面側目枠の凹部と凸部とを手で押し付けて嵌合させるだけで簡単に組み立てることができ、アイピースが安定して支持される。
またさらに、アイピース取付溝とアイピースとの間隙が突条によって封鎖されるので、アイピースが外力によって撓んでも気密性が破れにくい。
【図面の簡単な説明】
【図１】本発明の実施形態を示す防護マスクの要部断面図
【図２】同上の要部分解断面図
【図３】同上の要部分解正面図
【図４】同上の全体正面図
【図５】従来の防護マスクの要部正面図
【図６】図５のＡ−Ａ’断面図
【図７】従来の他の防護マスクの要部分解正面図
【符号の説明】
１  防護マスク
２  マスク面体
３  アイピース
４  表面側目枠
５  裏面側目枠
６  アイピース取付孔の周縁部
７  アイピース取付溝
８  突条
９  凹部
１０  凸部
１１  アイピース取付孔
１２  嵌合溝
１３  係止部
１４  表面片
１５  外部壁
１６  裏面片
１７  内部壁
１８  起立片
２０  面口部
２１  伸縮ネット
【図１】
0003726128.tif 000002
【図２】
0003726128.tif 000003
【図３】
0003726128.tif 000004
【図４】
0003726128.tif 000005
【図５】
0003726128.tif 000006
【図６】
0003726128.tif 000007
【図７】
0003726128.tif 000008